(57)【要約】      （修正有）【課題】ホログラム加工された薄葉シート部材を包装容器の切欠部から単に露出させた場合に比較して、商品の真贋を容易に判断可能とする。【解決手段】特定の方向から情報が目視可能なホログラム加工された識別シール１４１を付したトナーカートリッジを収納する包装容器本体３０と、トナーカートリッジに付された識別シール１４１を外部から目視可能となるよう包装容器本体に設けられた窓部３８と、包装容器本体又は前記トナーカートリッジに設けられ、包装容器本体の窓部３８から目視される識別シール１４１の情報と同一の同一情報又は情報と関連する関連情報を表示する表示部と、を備えた包装容器３０である。【選択図】図１２
2017056976.tif 000002
【特許請求の範囲】
【請求項１】
特定の方向から情報が目視可能なホログラム加工された識別標識を付した商品を収納する包装容器本体と、
前記商品に付された識別標識を外部から目視可能となるよう前記包装容器本体に設けられた窓部と、
前記包装容器本体又は前記商品に設けられ、前記包装容器本体の窓部から目視される前記識別標識の情報と同一の同一情報又は前記情報と関連する関連情報を表示する表示部と、
を備えた包装容器。
【請求項２】
前記識別標識は、複数の方向からそれぞれ異なる文字情報が見えるホログラム加工された識別標識である請求項１に記載の包装容器。
【請求項３】
前記表示部は、前記包装容器本体の窓部の外周における複数の方向に設けられ、当該複数の方向から目視される前記識別標識の文字情報と同一の文字情報を表示した複数の表示部からなる請求項１又は２に記載の包装容器。
【請求項４】
前記窓部は、ユーザによって前記包装容器本体に開口される請求項１乃至３のいずれかに記載の包装容器。
【請求項５】
前記請求項１乃至４のいずれかに記載の包装容器に収納された商品。
【発明の詳細な説明】
【技術分野】
【０００１】
この発明は、包装容器及び商品に関する。
【背景技術】
【０００２】
従来、包装容器に関する技術としては、例えば、特許文献１及び２に開示されたものが既に提案されている。
【０００３】
特許文献１は、紙基材と薄葉シート部材を積層した積層部材で構成された包装容器であって、前記積層部材の紙基材層側が容器外側として形成されており、前記紙基材層の少なくとも一箇所に切欠部が設けられており、切欠部から薄葉シート部材が露出しており、薄葉シート部材がホログラム加工されるように構成したものである。
【０００４】
特許文献２は、製品を収納してなる六面体状の包装箱を、底部を有した透明な収納袋に収納される包装形態において、六面体状の包装箱の少なくとも一面の一部に切り抜き窓部を有するように構成したものである。
【先行技術文献】
【特許文献】
【０００５】
【特許文献１】特開２００７−２３０５９３号公報
【特許文献２】特開２００８−１６８９３６号公報
【発明の概要】
【発明が解決しようとする課題】
【０００６】
この発明は、ホログラム加工された薄葉シート部材を包装容器の切欠部から単に露出させた場合に比較して、商品の真贋を容易に判断可能とすることを目的とする。
【課題を解決するための手段】
【０００７】
請求項１に記載された発明は、特定の方向から情報が目視可能なホログラム加工された識別標識を付した商品を収納する包装容器本体と、
前記商品に付された識別標識を外部から目視可能となるよう前記包装容器本体に設けられた窓部と、
前記包装容器本体又は前記商品に設けられ、前記包装容器本体の窓部から目視される前記識別標識の情報と同一の同一情報又は前記情報と関連する関連情報を表示する表示部と、
を備えた包装容器である。
【０００８】
請求項２に記載された発明は、前記識別標識は、複数の方向からそれぞれ異なる文字情報が見えるホログラム加工された識別標識である請求項１に記載の包装容器である。
【０００９】
請求項３に記載された発明は、前記表示部は、前記包装容器本体の窓部の外周における複数の方向に設けられ、当該複数の方向から目視される前記識別標識の文字情報と同一の文字情報を表示した複数の表示部からなる請求項１又は２に記載の包装容器である。
【００１０】
請求項４に記載された発明は、前記窓部は、ユーザによって前記包装容器本体に開口される請求項１乃至３のいずれかに記載の包装容器である。
【００１１】
請求項５に記載された発明は、前記請求項１乃至４のいずれかに記載の包装容器に収納された商品である。
【発明の効果】
【００１２】
請求項１に記載された発明によれば、ホログラム加工された薄葉シート部材を包装容器の切欠部から単に露出させた場合に比較して、商品の真贋を容易に判断することができる。
【００１３】
請求項２に記載された発明によれば、単一の方向から１つの文字情報が見える識別標識を用いた場合に比較して、類似の識別標識が製造されるのを回避することができる。
【００１４】
請求項３に記載された発明によれば、表示部が単一の方向から目視される文字情報を表示した単一の表示部からなる場合に比較して、商品の真贋をより一層容易に判断することができる。
【００１５】
請求項４に記載された発明によれば、窓部が予め包装容器本体に設けられている場合に比較して、識別標識が外部から目視されるのを回避することができる。
【００１６】
請求項５に記載された発明によれば、ホログラム加工された薄葉シート部材を包装容器の切欠部から単に露出させた場合に比較して、商品の真贋を容易に判断することができる。
【図面の簡単な説明】
【００１７】
【図１】この発明の実施の形態１に係る包装容器を適用したトナーカートリッジを用いた画像形成装置を示す全体構成図である。
【図２】この発明の実施の形態１に係る包装容器及びトナーカートリッジを示す斜視構成図である。
【図３】商品の一例としてのトナーカートリッジを示す斜視構成図である。
【図４】ホログラム加工された識別シールを示す模式図である。
【図５】識別シールが付されたトナーカートリッジを示す構成図である。
【図６】包装容器を示す斜視構成図である。
【図７】包装容器の一部を示す斜視構成図である。
【図８】この発明の実施の形態１に係る包装容器を示す斜視構成図である。
【図９】表示部を示す構成図である。
【図１０】この発明の実施の形態１に係るトナーカートリッジの交換方法を示す斜視構成図である。
【図１１】この発明の実施の形態１に係るトナーカートリッジの交換方法を示す斜視構成図である。
【図１２】この発明の実施の形態１に係る包装容器の変形例を示す概略構成図である。
【発明を実施するための形態】
【００１８】
以下に、この発明の実施の形態について図面を参照して説明する。
【００１９】
[実施の形態１]
図１はこの発明の実施の形態１に係る包装容器を適用した製品としてのトナーカートリッジが装着された画像形成装置全体の概要を示す構成図である。
【００２０】
＜画像形成装置の全体の構成＞
実施の形態１に係る画像形成装置１は、図１に示されるように、例えばカラー複写機として構成されたものである。画像形成装置１は、原稿の画像を読み取る画像読取装置３と、画像読取装置３で読み取られた画像データなどに基づいて記録媒体に画像を形成する画像形成手段の一例としての画像形成部２とを備えている。画像読取装置３は、画像形成部２を収容した装置本体１ａの上方に支持部４により支持された状態で配置されている。画像読取装置３と装置本体１ａとの間には、画像が形成された記録媒体を排出するための空間が形成されている。
【００２１】
画像形成部２は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋと、各作像装置１０Ｙ，１０Ｍ，１０Ｃ，１０Ｋで形成されるトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。
【００２２】
また、装置本体１ａ内の上部には、各作像装置１０Ｙ，１０Ｍ，１０Ｃ，１０Ｋの現像装置１４に供給される少なくとも対応する色のトナーを含む現像剤を収容した現像剤収納容器としてのトナーカートリッジ１４０（Ｙ，Ｍ，Ｃ，Ｋ）が配置されている。
【００２３】
＜包装容器の構成＞
トナーカートリッジ１４０（Ｙ，Ｍ，Ｃ，Ｋ）は、図２に示されるように、未使用時、包装容器本体の一例としての包装容器３０に収納した状態で運搬され保管される。トナーカートリッジ１４０は、図３に示されるように、例えば、内部にトナーを収納する収納室を備えた略円筒形状に形成されている。また、トナーカートリッジ１４０には、その手前側の端部に手で把持する把持部１４０ａが設けられている。尚、トナーカートリッジ１４０の形状は、略円筒形状に限定されるものではなく、略直方体形状や断面略楕円の筒形状など任意である。
【００２４】
トナーカートリッジ１４０の外周面には、図３及び図４に示されるように、長手方向に沿った略中央部の所要の位置に識別標識の一例としての識別シール１４１が接着剤や粘着剤による貼付け等の手段により設けられている。識別シール１４１は、特定の方向から情報が目視可能なホログラム加工された平面矩形状のシールからなる。識別シール１４１は、金属色（例えば、銀色）の光沢を有している。ホログラム加工は、３次元像の情報を記録する技術であるホログラフィー（Holography）により文字や画像（写真）等の情報を記録するものである。白黒の写真は、単位面積あたりの光のエネルギーである光強度が記録された点の集合であり、各点は光強度という１つの情報からなる。また、カラー写真は、光強度という情報に加えて光の波長の情報を有する。これに対して、ホログラムは、光の電場の振幅や波長の情報に位相の情報を付加したものである。ホログラム加工では、画像が再生される時に生じる放射光が３次元像となる。ホログラム加工された識別シール１４１の製造会社としては、例えば、米国のオプセック  セキュリティ  グループ  インコーポレイテッド社が挙げられる。
【００２５】
識別シール１４１は、図４及び図５に示されるように、正面から目視した状態では特定の文字等の画像が見えないように構成されている。一方、識別シール１４１は、その外周に位置する４辺１４１ａ，１４１ｂ，１４１ｃ，１４１ｄの方向からそれぞれ異なる文字情報１４２ａ，１４２ｂ，１４２ｃ，１４２ｄが目視可能となっている。識別シール１４１は、図４（ａ）に示されるように、例えば、上辺１４１ａ側の斜め上方から見た場合に、英語の「原型」、「現物」を意味する「ＯＲＩＧＩＮＡＬ」という文字情報が、同図（ｂ）に示されるように、下辺側の斜め下方から見た場合に、イタリア語の「正規の」又は「真の」を意味する「ＡＵＴＥＮＴＩＣＯ」という文字情報が、同図（ｃ）に示されるように、左辺側の斜め左方から見た場合に、英語で「正真正銘の」、「本物の」を意味する「ＧＥＮＵＩＮＥ」という文字情報が、同図（ｄ）に示されるように、右辺側の斜め右方から見た場合に、フランス語の「本当の」又は「真実の」を意味する「ＶＥＲＩＴＡＢＬＥ」という文字情報がそれぞれ目視されるようにホログラム加工が施されている。
【００２６】
包装容器３０は、図６に示されるように、トナーカートリッジ１４０の形状に対応して細長い直方体形状に形成されている。包装容器３０は、例えば、内部に収容されるトナーカートリッジ１４０を衝撃等から保護するため段ボール紙などの緩衝材により構成される。包装容器３０は、正面壁部３１と、背面壁部３２と、上壁部３３と、下壁部３４と、左壁部３５と、右壁部３６とを備える。正面壁部３１、背面壁部３２、上壁部３３及び下壁部３４は、トナーカートリッジ１４０の長手方向の形状に対応した細長い長方形状を有している。また、左壁部３５及び右壁部３６は、トナーカートリッジ１４０の側面形状に対応した正方形状あるいは正方形状に近い長方形状に形成される。左壁部３５は、例えば、底壁部として構成される。また、右壁部３６は、図２に示されるように、トナーカートリッジ１４０を取り出すための取出口３７として構成されている。左壁部３５は、図７（ａ）に示されるように、正面壁部３１、背面壁部３２、上壁部３３及び下壁部３４と一体的に形成された台形状片３１ａ〜３４ａを組み合わせることで閉塞されている。一方、右壁部３６は、同図（ｂ）に示されるように、正面壁部３１、背面壁部３２、上壁部３３及び下壁部３４と一体的に形成された矩形状片３３ｂ，３４ｂを組み合わせて接着剤又は粘着剤により接合することで取出口３７が閉塞されている。
【００２７】
包装容器３０には、図８に示されるように、トナーカートリッジ１４０に付された識別シール１４１を外部から目視可能となるよう平面矩形状の窓部３８が開口されている。窓部３８は、トナーカートリッジ１４０に付された識別シール１４１の位置に対応した位置に、識別シール１４１と同じ大きさか又は識別シール１４１よりも一回り大きな平面矩形状に形成されている。また、窓部３８は、包装容器３０の内部への埃や塵等の異物が侵入するのを防止するため、薄い透明なフィルム状部材３９によって被覆されている。
【００２８】
また、包装容器３０の窓部３８の外周には、図９に示されるように、トナーカートリッジ１４０に付された識別シール１４１を複数の異なる方向から目視した場合に見える文字情報に対応した文字が印字されてなる表示部６０が設けられている。更に説明すると、窓部３８の上部には、識別シール１４１を上辺側の斜め上方から見た場合に見える「ＯＲＩＧＩＮＡＬが見える」という文字情報が表示された第１の表示部６１が設けられている。また、窓部３８の下部には、識別シールを下辺側の斜め下方から見た場合に見える「ＡＵＴＥＮＴＩＣＯが見える」という文字情報が表示された第２の表示部６２が設けられている。さらに、窓部３８の左部には、識別シール１４１を左辺側の斜め左方から見た場合に見える「ＧＥＮＵＩＮＥが見える」という文字情報が表示された第３の表示部６３が設けられている。また、窓部３８の右部には、識別シール１４１を右辺側の斜め右方から見た場合に見える「ＶＥＲＩＴＡＢＬＥが見える」という文字情報が表示された第４の表示部６４が設けられている。
【００２９】
＜包装容器の作用＞
この実施の形態１に係る画像形成装置１では、次のようにして、少なくとも１つ以上のトナーカートリッジ１４０（Ｙ，Ｍ，Ｃ，Ｋ）が空状態となった場合に、空状態となったトナーカートリッジ１４０が交換される。なお、新たなトナーカートリッジ１４０は、ユーザによって準備される。
【００３０】
ユーザは、図１０に示されるように、画像形成装置本体１ａの前面側に設けられたフロントカバー１ｂを開放し、トナーカートリッジ１４０（Ｙ，Ｍ，Ｃ，Ｋ）を外部に露出させる。その後、交換すべきトナーカートリッジ１４０の把持部１４０ａを把持してトナーカートリッジ１４０を手前側に引き出して、画像形成装置本体１ａから使用済のトナーカートリッジ１４０を取り外す。
【００３１】
続いて、ユーザは、図２に示されるように、包装容器３０から新しいトナーカートリッジ１４０を取り出す。このとき、トナーカートリッジ１４０には、図３に示されるように、当該トナーカートリッジ１４０が正規のものであることを示すホログラム加工された識別シール１４１が貼り付けられている。
【００３２】
しかしながら、ユーザは、トナーカートリッジ１４０にホログラム加工された識別シール１４１が添付されているのみでは、当該トナーカートリッジ１４０が正規のものであるか否かを判別することが困難な場合がある。
【００３３】
そこで、この実施の形態では、図８及び図９に示されるように、包装容器３０の窓部３８の外周に、複数の方向から識別シール１４１を目視した場合に、見る方向によって異なる識別シール１４１の文字情報を表示した表示部６０が設けられている。そのため、ユーザは、トナーカートリッジ１４０が包装容器３０に収納されている状態では窓部３８を介することによって、又はトナーカートリッジ１４０を包装容器３０から取り出した状態のいずれの場合であっても、図４及び図９に示されるように、識別シール１４１を異なる複数の方向から目視するとともに、目視した方向から見える識別シール１４１の文字情報を表示した表示部６０とを見比べることにより、識別シール１４１が正規のものであるか否か、即ちトナーカートリッジ１４０が正規なものであるか否かを容易に判別することができる。
【００３４】
そのため、ユーザは、トナーカートリッジ１４０が正規なものであると判別すると、図１１に示されるように、新しいトナーカートリッジ１４０を手で振ることにより内部のトナーの凝集状態を解した後、新しいトナーカートリッジ１４０を画像形成装置本体１ａの所要の位置に装着し、フロントカバー１ｂを閉塞することで、トナーカートリッジ１４０の交換が完了する。
【００３５】
このように、上記実施の形態では、ホログラム加工された薄葉シート部材を包装容器の切欠部から単に露出させた場合に比較して、トナーカートリッジ１４０の真贋の判断が容易となる。
【００３６】
なお、上記実施の形態では、包装容器に窓部を予め開口した場合について説明したが、これに限定されるものでなく、図１２に示されるように、包装容器３０の窓部３８を正面壁部３１や上壁部３３などに一体的に設けるとともに、窓部３８の外周に当該窓部３８を容易に開口可能なようにミシン目等からなる切欠き部７０を設けるように構成しても良い。この場合には、識別シール１４１が窓部３８を介して事前に目視されることがないため、識別シール１４１の偽造などを防止乃至抑制することができる。また、窓部３８を閉塞するフィルム状部材３９が不要となる。
【００３７】
また、上記実施の形態では、表示部を包装容器の窓部の外周に設けた場合について説明したが、表示部は、包装容器本体の異なる場所又はトナーカートリッジ１４０等からなる商品自体に設けるように構成しても良い。
【００３８】
さらに、上記実施の形態では、ホログラム加工された識別標識に表示される情報が文字からなる場合について説明したが、識別標識に表示される情報は、文字以外に図形や写真画像等であっても良い。
【００３９】
また、上記実施の形態では、商品の一例としてトナーカートリッジ１４０に適用した場合について説明したが、商品としてはこれに限定されるものではなく、現像装置やプロセスカートリッジ、あるいは電気部品、電子機器など包装容器に収納して販売等がされる他の商品にも適用できることは勿論である。
【符号の説明】
【００４０】
１…画像形成装置
１ａ…画像形成装置本体
３０…包装容器
３８…窓部
６０…表示部
１４０…トナーカートリッジ
１４１…識別シール
【図１】
2017056976.tif 000003
【図２】
2017056976.tif 000004
【図３】
2017056976.tif 000005
【図４】
2017056976.tif 000006
【図５】
2017056976.tif 000007
【図６】
2017056976.tif 000008
【図７】
2017056976.tif 000009
【図８】
2017056976.tif 000010
【図９】
2017056976.tif 000011
【図１０】
2017056976.tif 000012
【図１１】
2017056976.tif 000013
【図１２】
2017056976.tif 000014